(57)【要約】【課題】遊技者が遊技に集中できる遊技機を提供すること。【解決手段】遊技機１には、遊技者の頭部またはその上方を覆うように、遊技者側に向かって斜め上方に張り出す張出部４０が形成されている。【選択図】図８
2015173718.tif 000002
【特許請求の範囲】
【請求項１】
遊技者の頭部またはその上方を覆うように、遊技者側に向かって斜め上方に張り出す張出部が形成されている遊技機。
【請求項２】
請求項１に記載の遊技機であって、
張出部は、光、音、風の少なくとも１つを吹き出し可能となっており、
吹き出された光、音、風は、遊技者を包み込むように設定されていることを特徴とする遊技機。
【請求項３】
請求項１〜２のいずれかに記載の遊技機であって、
張出部は、遊技機自身に対して取り外し可能となっており、
張出部を取り外すと、この取り外した張出部に代わって別の張出部を取り付け可能となっていることを特徴とする遊技機。
【請求項４】
請求項１〜３のいずれかに記載の遊技機であって、
張出部は、ループ状に形成されており、
ループの内側には、情報、映像、役物等を表示可能なパネル部材が組み付けられていることを特徴とする遊技機。
【請求項５】
請求項４に記載の遊技機であって、
パネル部材は、ループの内側に対して取り外し可能となっており、
パネル部材を取り外すと、この取り外したパネル部材に代わって別のパネル部材を取り付け可能となっていることを特徴とする遊技機。
【発明の詳細な説明】
【技術分野】
【０００１】
本発明は、遊技機に関する。
【背景技術】
【０００２】
従来、パチンコ機等の遊技機において、演出効果を高めたものが既に知られている。ここで、下記特許文献１には、ガラス枠における上側にフィギア等の可動体を有する張出部を備えたパチンコ機が開示されている。これにより、フィギア等の可動体を可動させるといったダイナミックな動きを伴う演出動作を行うことができるため、遊技の興趣を高めることができる。
【先行技術文献】
【特許文献】
【０００３】
【特許文献１】特開２００６−２４７２１２号公報
【発明の概要】
【発明が解決しようとする課題】
【０００４】
しかしながら、上述した特許文献１の技術では、張出部は、単に、ガラス枠から遊技者側に向かって張り出す格好となっている。そのため、この程度の張り出しでは、遊技者の頭部を包み込むことができなかった。したがって、遊技者は、自身の頭部に開放感を得ることとなり、結果として、パチンコ機との一体感を得難いことがあった。
【０００５】
本発明は、このような課題を解決しようとするもので、その目的は、遊技者との一体感を得ることができる遊技機を提供することである。
【課題を解決するための手段】
【０００６】
本発明は、上記の目的を達成するためのものであって、以下のように構成されている。
請求項１に記載の発明は、遊技者の頭部またはその上方を覆うように、遊技者側に向かって斜め上方に張り出す張出部が形成されている遊技機である。そのため、前倒れした張出部が、遊技者の頭部を包み込む格好となる。したがって、遊技者は、自身の頭部に閉塞感を得ることとなり、結果として、遊技機との一体感を得ることができる。
【０００７】
また、請求項２に記載の発明は、請求項１に記載の遊技機であって、張出部は、光、音、風の少なくとも１つを吹き出し可能となっている。そして、吹き出された光、音、風は、遊技者を包み込むように設定されている。そのため、遊技者に対して光、音、風を体感させることができる。したがって、遊技者にとって臨場感が溢れる演出を行うことができる。
【０００８】
また、請求項３に記載の発明は、請求項１〜２のいずれかに記載の遊技機であって、張出部は、遊技機自身に対して取り外し可能となっている。そして、張出部を取り外すと、この取り外した張出部に代わって別の張出部を取り付け可能となっている。そのため、例えば、遊技機を新台に入れ替えるとき、遊技機全体またはガラス枠の取り替えを行うことなく遊技盤の取り替えのみを行う場合でも、張出部を取り替えることができる。したがって、張出部も、取り替えた遊技盤の内容に見合ったものに取り替えることができる。
【０００９】
また、請求項４に記載の発明は、請求項１〜３のいずれかに記載の遊技機であって、張出部は、ループ状に形成されている。そして、ループの内側には、情報、映像、役物等を表示可能なパネル部材が組み付けられている。そのため、遊技者に各種の情報や映像、役物等を提供できる。
【００１０】
また、請求項５に記載の発明は、請求項４に記載の遊技機であって、パネル部材は、ループの内側に対して取り外し可能となっている。そして、パネル部材を取り外すと、この取り外したパネル部材に代わって別のパネル部材を取り付け可能となっている。そのため、遊技者に別の情報や映像、役物等を提供できる。
【図面の簡単な説明】
【００１１】
【図１】本発明の実施例１に係るパチンコ機の正面図である。
【図２】図１の側面図である。
【図３】図１の斜視図である。
【図４】図１において、内枠を開けた状態を示す図である。
【図５】図３の張出部の拡大図である。
【図６】図５の張出部を破断させた状態を示す図である。
【図７】図５の分解図である。
【図８】図３の張出部の作用を説明する図である。
【図９】図３において、パネル部材の交換の手順を説明する図である。
【図１０】図３において、張出部の交換の手順を説明する図である。
【図１１】本発明の実施例２に係るパチンコ機の斜視図である。
【図１２】図１１において、内枠とガラス枠とを開けた状態を示す図である。
【図１３】本発明の実施例３に係るパチンコ機の斜視図である。
【図１４】図１３において、内枠とガラス枠とを開けた状態を示す図である。
【図１５】本発明の実施例４に係るパチンコ機の斜視図である。
【図１６】図１５において、ガラス枠を開けた状態を示す図である。
【図１７】本発明の実施例５に係るパチンコ機の斜視図である。
【図１８】図１７において、ガラス枠を開けた状態を示す図である。
【図１９】変形例１に係るパチンコ機の斜視図である。
【図２０】変形例２に係るパチンコ機の斜視図である。
【発明を実施するための形態】
【００１２】
以下、本発明を実施するための形態を、図面を用いて説明する。なお、以下の説明にあたって、「遊技機」が「パチンコ機」である形態を説明する。このことは、後述する全ての実施例、変形例においても同様である。
【００１３】
（実施例１）
まず、本発明の実施例１を、図１〜１０を用いて説明する。はじめに、図１〜４を参照して、本発明の実施例１に係るパチンコ機１の全体構成を説明する。
【００１４】
このパチンコ機１は、主として、遊技島のベース（いずれも図示しない）に組み付けられる外枠１０と、この外枠１０に対して開閉可能にヒンジ結合（第１のヒンジ結合）される内枠２０と、この内枠２０に対して開閉可能にヒンジ結合（第２のヒンジ結合）されるガラス枠３０とから構成されている（図１〜４参照）。
【００１５】
この外枠１０には、張出部４０が組み付けられている。また、この内枠２０には、遊技盤５０が組み付けられている。ここで、図５〜７を参照して、この張出部４０について詳述する。この張出部４０は、図５〜７からも明らかなように、アーチ状に形成されたループ本体４２と、このループ本体４２の内側に組み付けられる半円状のパネル部材４４と、このパネル部材４４を支持可能なハンドル４６と、から構成されている。
【００１６】
このループ本体４２は、パチンコ機１の向かいに座った遊技者（図示しない）の頭部またはその上方を覆う格好となるように、遊技者側に向かって前倒れ状となっている（図２参照）。このループ本体４２の内周面には、パネル部材４４の円弧の縁を嵌め込み可能な凹溝４２ａが形成されている。このパネル部材４４には、例えば、パチンコ機１に該当する情報（データも含む）、映像、役物等（いずれも図示しない）が表示されている。なお、この場合の役物は、可動であろうが、非可動であろうと構わない。
【００１７】
また、このループ本体４２の内周面における凹溝４２ａの遊技者側には、光、音、風の少なくとも１つを吹き出す（光を放つ、音を出す、風を吹き出す）吹出口４２ｂが適宜の間隔で形成されている。これら吹出口４２ｂは、光源、音源、エア源（いずれも図示しない）に接続されている。また、これら吹出口４２ｂは、出された光、音、風が遊技者を包み込む格好となるように、下方に向けて形成されている（図５、８参照）。
【００１８】
なお、これら光源、音源、エア源は、パチンコ機１における大当たり時、および／または、その抽選時に動作するようにプログラムされている。また、ハンドル４６は、ループ本体４２の下面に形成されているピン４２ｃを介して、円弧の縁を凹溝４２ａに嵌め込んだパネル部材４４を下側から支持可能にヒンジ結合されている。
【００１９】
これにより、図９（Ａ）に示す状態から、ガラス枠３０を開けると（図９（Ｂ）参照）、ハンドル４６を遊技者側に向かって回転させることができる（図９（Ｃ）参照）。そのため、図９（Ｄ）に示すように、パネル部材４４をループ本体４２の内側から取り外すことができる。したがって、この取り外したパネル部材４４に代わって別のパネル部材（図示しない）を取り付けることができる。
【００２０】
張出部４０は、このように構成されている。このように構成されている張出部４０は、そのループ本体４２がパチンコ機１の外枠１０の上縁に公知の組付手段（例えば、ビス、爪等）を介して組み付けられている。このように組み付けられていると、図１０（Ａ）に示す状態から、内枠２０を開けると（図１０（Ｂ）参照）、外枠１０から張出部４０を取り外すことができる（図１０（Ｃ）参照）。したがって、この取り外した張出部４０に代わって別の張出部（図示しない）を取り付けることができる。
【００２１】
本発明の実施例１に係るパチンコ機１は、上述したように構成されている。この構成によれば、張出部４０のループ本体４２は、遊技者の頭部またはその上方を覆う格好となるように、遊技者側に向かって前倒れ状となっている。そのため、前倒れした張出部４０のループ本体４２が、遊技者の頭部を包み込む格好となる。したがって、遊技者は、自身の頭部に閉塞感を得ることとなり、結果として、パチンコ機１との一体感を得ることができる。
【００２２】
また、この構成によれば、ループ本体４２の内周面における凹溝４２ａの遊技者側には、光、音、風の少なくとも１つを吹き出す吹出口４２ｂが適宜の間隔で形成されている。これら吹出口４２ｂは、出された光、音、風が遊技者を包み込む格好となるように、下方に向けて形成されている。そのため、遊技者に対して光、音、風を体感させることができるため、遊技者にとって臨場感が溢れる演出を行うことができる。
【００２３】
また、この構成によれば、張出部４０は、外枠１０から取り外し可能となっている。したがって、この外枠１０から張出部４０を取り外すと、この取り外した張出部４０に代わって別の張出部（図示しない）を取り付けることができる。そのため、例えば、パチンコ機１を新台に入れ替えるとき、パチンコ機１全体またはガラス枠３０の取り替えを行うことなく遊技盤５０の取り替えのみを行う場合でも、張出部４０を取り替えることができる。したがって、張出部４０も、取り替えた遊技盤５０の内容に見合ったものに取り替えることができる。
【００２４】
また、この構成によれば、このループ本体４２の内側には、半円状のパネル部材４４が組み付けられている。このパネル部材４４には、例えば、パチンコ機１に該当する情報（データも含む）、映像、役物等が表示されている。そのため、遊技者に各種の情報や映像、役物等を提供できる。
【００２５】
また、この構成によれば、パネル部材４４は、ループ本体４２の内側から取り外し可能となっている。したがって、このループ本体４２の内側からパネル部材４４を取り外すと、この取り外したパネル部材４４に代わって別のパネル部材を取り付けることができる。そのため、遊技者に別の情報や映像、役物等を提供できる。
【００２６】
（実施例２）
次に、本発明の実施例２を、図１１〜１２を用いて説明する。この実施例２のパチンコ機１０１は、既に説明した実施例１のパチンコ機１と比較すると、張出部４０を外枠１０とは別の部材に組み付けた形態である。なお、以下の説明にあたって、実施例１で説明した部材と同一の部材には、図面において、同一符号を付すことで、重複する説明は省略することとする。このことは、後述する全ての実施例、変形例においても同様である。
【００２７】
図１１〜１２に示すように、張出部４０は、そのループ本体４２がパチンコ機１０１の内枠２０の上縁に公知の組付手段（例えば、ビス、爪等）を介して組み付けられている。このように組み付けられていると、この実施例２においても、既に説明した実施例１と同様の作用効果を得ることができる。
【００２８】
（実施例３）
次に、本発明の実施例３を、図１３〜１４を用いて説明する。この実施例３のパチンコ機２０１も、既に説明した実施例１のパチンコ機１と比較すると、張出部４０を外枠１０とは別の部材に組み付けた形態である。
【００２９】
図１３〜１４に示すように、パチンコ機２０１の内枠２０は、その上縁が開放した略コ字状の枠部材から構成されている。そのため、遊技盤５０は、この開放した上縁から張り出す格好で内枠２０に組み付けられている。そして、張出部４０は、そのループ本体４２がパチンコ機１の内枠２０に組み付けられている遊技盤５０の上縁に公知の組付手段（例えば、ビス、爪等）を介して組み付けられている。このように組み付けられていると、この実施例３においても、既に説明した実施例１と同様の作用効果を得ることができる。
【００３０】
（実施例４）
次に、本発明の実施例４を、図１５〜１６を用いて説明する。この実施例４のパチンコ機３０１も、既に説明した実施例１のパチンコ機１と比較すると、張出部４０を外枠１０とは別の部材に組み付けた形態である。
【００３１】
図１５〜１６に示すように、張出部４０は、そのループ本体４２がパチンコ機３０１のガラス枠３０の上縁に公知の組付手段（例えば、ビス、爪等）を介して組み付けられている。このように組み付けられていると、この実施例４においても、既に説明した実施例１と同様の作用効果を得ることができる。
【００３２】
（実施例５）
次に、本発明の実施例５を、図１７〜１８を用いて説明する。この実施例５のパチンコ機４０１も、既に説明した実施例１のパチンコ機１と比較すると、張出部４０を外枠１０とは別の部材に組み付けた形態である。
【００３３】
図１７〜１８に示すように、ガラス枠３０には、遊技盤５０が組み付けられている。すなわち、実施例１と異なり、遊技盤５０が、内枠２０ではなくガラス枠３０に組み付けられている。そして、張出部４０は、そのループ本体４２がパチンコ機１のガラス枠３０に組み付けられている遊技盤５０の上縁に公知の組付手段（例えば、ビス、爪等）を介して組み付けられている。このように組み付けられていると、この実施例５においても、既に説明した実施例１と同様の作用効果を得ることができる。
【００３４】
上述した内容は、あくまでも本発明の一実施の形態に関するものであって、本発明が上記内容に限定されることを意味するものではない。各実施例では、「遊技機」が「パチンコ機１」である形態を説明した。しかし、これに限定されるものでなく、「遊技機」が「スロットマシーン等」であっても構わない。
【００３５】
また、各実施例では、光、音、風は、ループ本体４２における適宜の間隔で形成された吹出口４２ｂから吹き出される形態を説明した。すなわち、スポット的に吹き出される形態を説明した。しかし、これに限定されるものでなく、全体的に吹き出される形態でも構わない。その場合、吹出口４２ｂは、ループ本体４２の内周面における凹溝４２ａの遊技者側に溝状に形成されることとなる。
【００３６】
また、実施例４では、張出部４０は、そのループ本体４２がパチンコ機３０１のガラス枠３０の上縁に公知の組付手段（例えば、ビス、爪等）を介して組み付けられている形態を説明した。その際、例えば、変形例１〜２（図１９〜２０）に示すように、張出部４０のループ本体４２がガラス枠３０とより一体的に見えるように形成されていたり、ループ本体４２が遊技者側に向かって大きく張り出していても構わない。このように形成されていると、張出部４０がダイナミックに見えるため、遊技者の遊技意欲を高めることができる。
【符号の説明】
【００３７】
１      パチンコ機（遊技機）
４０    張出部
４４    パネル部材
【図１】
2015173718.tif 000003
【図２】
2015173718.tif 000004
【図３】
2015173718.tif 000005
【図４】
2015173718.tif 000006
【図５】
2015173718.tif 000007
【図６】
2015173718.tif 000008
【図７】
2015173718.tif 000009
【図８】
2015173718.tif 000010
【図９】
2015173718.tif 000011
【図１０】
2015173718.tif 000012
【図１１】
2015173718.tif 000013
【図１２】
2015173718.tif 000014
【図１３】
2015173718.tif 000015
【図１４】
2015173718.tif 000016
【図１５】
2015173718.tif 000017
【図１６】
2015173718.tif 000018
【図１７】
2015173718.tif 000019
【図１８】
2015173718.tif 000020
【図１９】
2015173718.tif 000021
【図２０】
2015173718.tif 000022